(57)【要約】【課題】横方向から衝撃力が作用した場合でも確実に吸収して、良好なる復元力を発揮することができるフロントフレームと鎧との連結機構を提供する。【解決手段】レンズを保持するフロントフレームと、このフロントフレームの両端部にそれぞれ設けられるとともに、それぞれ蝶番を介してテンプルが屈曲可能に配設されている鎧との間の連結機構であって、この連結機構は、前向きＵ字状をなす弾性材を有し、この弾性材の一方の端部がフロントフレームに固着され、他方の端部は鎧に固着され、横方向の力が作用したときは、Ｕ字状の弾性材が変位することで衝撃力を吸収する。【選択図】図１
2008139689.tif 000002
【特許請求の範囲】
【請求項１】
レンズを保持するフロントフレームと、該フロントフレームの両端部にそれぞれ設けられるとともに、それぞれ蝶番を介してテンプルが屈曲可能に配設されている鎧との間の連結機構であって、該連結機構は、前向きＵ字状をなす弾性材を有し、この弾性材の一方の端部がフロントフレームに固着され、他方の端部は鎧に固着され、横方向の力が作用したときは、Ｕ字状の弾性材が変位することで衝撃力を吸収することを特徴とするフロントフレームと鎧との連結機構。
【請求項２】
前記連結機構は帯状の弾性材から形成されている請求項１記載のフロントフレームと鎧との連結機構。
【請求項３】
前記鎧のうちの弾性材が固着する部位には、弾性材の他方の端部を受け入れる窪み部が形成され、弾性材はその他方の端部が窪み部に受け入れられた状態で固着されている請求項１記載のフロントフレームと鎧との連結機構。
【請求項４】
レンズを保持するフロントフレームと、該フロントフレームの両端部にそれぞれ設けられるとともに、それぞれ蝶番を介してテンプルが屈曲可能に配設されている鎧との間の連結機構であって、該連結機構は、前向きＵ字状をなす帯状の弾性材を有し、この弾性材の一方の端部がフロントフレームに固着され、他方の端部は鎧に形成されるとともに、端部を受け入れる窪み部内に位置した状態で固着され、横方向の力が作用したときは、Ｕ字状の弾性材が変位することで衝撃力を吸収することを特徴とするフロントフレームと鎧との連結機構。
【発明の詳細な説明】
【技術分野】
【０００１】
この発明はレンズの周囲を保持するフロントフレームと、このフロントフレームの両側に設けられた鎧部との間を連結する連結機構であって、弾性材を有し、この弾性材とテンプルとが協働して弾性を発揮するようにしたフロントフレームと鎧との間の連結機構に関するものである。
【背景技術】
【０００２】
一般に眼鏡のフレームにあっては、特許文献１に示すように、レンズＧ、Ｇを取り付けるフロント部１からヒンジ２（蝶番）を介して連設されたテンプル３（腕部）とを有する。テンプル３の基端寄りにＳ字ヘアピン状のばね部４が形成されている。
【０００３】
上記のように構成されている眼鏡のフロントフレームにあっては、外力が作用して幅方向に変位したときに、復元力Ｆが働き、メガネを掛けたときの頭部の側面への密着度を良くして眼鏡がずれ落ちないようにして、確実に定位置にてメガネを掛けることができるようになっている。
【０００４】
しかしながら、上記のような眼鏡のフレームにあっては、テンプル３に対してばね部４が設けられ、しかも、このばね部４はＳ字ヘアピン状をなしていて、Ｓ字ヘアピン状の形状によって復元力が発揮するように構成している。したがって、復元力を大きくするにはＳ字を大きくする必要があり、このために、Ｓ字の内側の部分が頭部に接近してしまうので、テンプル３が外方から押された際にはその部分が頭部に衝突してしまうという問題点を有していた。
【特許文献１】登録実用新案公報第３０７９２４４号
【発明の開示】
【発明が解決しようとする課題】
【０００５】
この発明は、フロントフレームと鎧との間を、前向きＵ字状をなす連結部材で連結し、連結部材自体を弾性材で形成し、フロントフレームが横方向に変位した時には連結部材によって良好なる復元力を発揮するように構成するとともに、外方からの衝撃力に対しては緩衝効果を発揮し、使用者の頭部に衝突する恐れが無いようにした。さらに、弾性材が弾性を発揮して使用者の頭部を挟み、また、横方向の幅が小さいので全体の幅を頭部と略一致させることができる。
また、連結部材を帯状の板材で形成したので、単位当たりに作用する力が小さくなり、良好なる復元力および確実なる緩衝効果を発揮することができる。
さらに、鎧に連結部材の端部を受け入れる窪み部を形成して、この窪み部に位置した状態で固着したので組立て時の位置決め作業が容易である。
【課題を解決するための手段】
【０００６】
この発明は、レンズを保持するフロントフレームと、このフロントフレームの両端部にそれぞれ設けられるとともに、それぞれ蝶番を介してテンプルが屈曲可能に配設されている鎧との間の連結機構であって、この連結機構は、前向きＵ字状をなす弾性材を有し、この弾性材の一方の端部がフロントフレームに固着され、他方の端部は鎧に固着され、横方向の力が作用したときは、Ｕ字状の弾性材が変位することで衝撃力を吸収する手段を採用した。
そして、連結機構は帯状の弾性材から形成し、また鎧のうちの弾性材が固着する部位には、弾性材の他方の端部を受け入れる窪み部が形成され、弾性材はその他方の端部が窪み部に受け入れられた状態で固着されている。
また、この発明は、レンズを保持するフロントフレームと、該フロントフレームの両端部にそれぞれ設けられるとともに、それぞれ蝶番を介してテンプルが屈曲可能に配設されている鎧との間の連結機構であって、該連結機構は、前向きＵ字状をなす帯状の弾性材を有し、この弾性材の一方の端部がフロントフレームに固着され、他方の端部は鎧に形成されるとともに、端部を受け入れる窪み部内に位置した状態で固着され、横方向の力が作用したときは、Ｕ字状の弾性材が変位することで衝撃力を吸収する手段を採用した。
【発明の効果】
【０００７】
請求項１に示すように、フロントフレームと鎧との連結機構を採用したこの発明による眼鏡フレームにあっては、フロントフレームに横方向の力が作用して鎧に対して衝撃力が作用したときに、この衝撃力は前向きＵ字状の連結部材が変位することで吸収される。これにより、良好なる復元力を発揮できるとともに、鎧およびこの鎧に蝶番を介して連結されたテンプルに対する緩衝作用を発揮することができ、さらに、弾性材が弾性を発揮して使用者の頭部を挟むので頭部が締め付けられることがなく、しかも、全体の幅をテンプル間の幅と略同じ大きさにできる。
また、請求項２のように、連結部材を帯状の板材で形成した場合には衝撃力が作用した時には単位当たりの作用力が小さくなり、良好なる復元力および確実なる緩衝効果を発揮することができる。
さらに、請求項３のように、鎧の側面に帯状の連結部材の端部を受け入れる窪み部を形成しておけば組み立て時に組立てがずれるという恐れは無くなる。
さらに、請求項４に示すように構成することで、フロントフレームに横方向の力が作用して鎧に対して変位する力が作用したときに、この作用力は前向きＵ字状の連結部材が変位することで吸収される。これにより、良好なる復元力を発揮できるとともに、鎧およびこの鎧に蝶番を介して連結されたテンプルに対する緩衝作用を発揮することができ、また、頭部を柔軟に挟むので頭部が締め付けられることがなく、しかも、全体の幅をテンプル間の幅と略同じ大きさにできる。
また、連結部材を帯状の板材で形成した場合には衝撃力が作用した時には単位当たりの作用力が小さくなり、良好なる復元力および確実なる緩衝効果を発揮することができる。
さらに、鎧の側面に帯状の連結部材の端部を受け入れる窪み部を形成しておけば組み立て時に組立てがずれるという恐れは無くなる。
【発明を実施するための最良の形態】
【０００８】
以下、図面に示すこの発明の実施例について説明する。
図１にはこの発明による眼鏡フレーム１の概略平面図が、図２には概略正面図が、そして図３には概略側面図が、そして図４には連結機構部の概略図がそれぞれ示されている。
【０００９】
この眼鏡フレーム１はハーフリムタイプであって、左右一対のレンズ２、２が取り付けられているとともに、ブリッジ４で連結されていて、フロントフレームを形成するリム３、３を有し、このリム３、３の外方には所定の間隔を置いて鎧が配設されている。
【００１０】
鎧５、５は図４に詳細に示すように、リム３、３と所定の間隔を置いて外方に位置し、リム３、３側には窪み部６、６が形成され、一方、鎧５、５には蝶番７、７を介して折り畳み可能にテンプル８、８が配設されている。
【００１１】
前記リム３、３と鎧５、５との間は、前向きＵ字状をなす連結部材９、９によって連結され、この連結部材は帯状をなすとともに、弾性材で形成され、この一方の端部はリム３、３に固着され、他方の端部は鎧５、５に設けた窪み部６、６に位置した状態で固着されている。
【００１２】
そして、鎧５、５に蝶番７、７を介して折り畳み可能に取り付けられているテンプル８、８はその後端部にモダン１０、１０が取り付けられている。
【００１３】
なお、１１、１１は使用者の鼻の両側に当接するノーズパッドであり、このノーズパッド１１、１１を支持している脚部１２、１２はリム３、３の内方側に固着されている。
【００１４】
上記のように構成された眼鏡フレーム１において、まず、両テンプル８、８を折り畳んだ状態から拡開して図示の状態とし、使用者が使用し得る状態とする。
そして、使用者が使用を開始するために両テンプル８、８間に頭部を挿入、すなわち使用者の頭部の両耳部の上側間を両テンプル８、８間で挟持する。
【００１５】
この挟持時には両テンプル８、８を拡開するとテンプル８、８が蝶番７、７を支点として拡開するだけではなく、弾性材からなる連結部材９、９も多少拡開し、しかも、テンプル８、８自体も多少外方に変位するので、使用者の頭部に密着して取り付けられることになる。
【００１６】
すなわち、拡開状態の両テンプル８、８間を頭部よりも狭くしておくことで、リム３、３と鎧５、５との間に前向きＵ字状をなして設けられた連結部材９、９の弾性変形およびテンプル８、８自体が外方に変位することとが相俟ってテンプル８、８自体が使用者の頭部に弾性的に当接することになる。
なお、テンプル８、８自体が外方に変位しない場合であっても弾性材からなる連結部材９、９が弾性変形することでテンプル９、９は使用者の頭部に面状に当接することになる。
【００１７】
したがって、テンプル８、８が頭部と当接する部分に大きな力が作用して使用者が強い装着感を感じるのと異なって、頭部の各部に小さい力を作用させるので長時間に渡って使用しても使用者が強い装着感を感じることがない。しかも、確実に使用者の頭部を挟持しているので使用中にずれたり落下したりする恐れは全く無いものである。
【００１８】
さらに、鎧５、５とリム３、３との間隔はＵ字状の連結部材９、９が配設されるだけなので眼鏡フレームの横幅も広くなることはない。そして、側方から衝撃力が作用した場合には連結部材９、９のＵ字状の幅が狭くなることで吸収することができて衝撃力を緩和することができる。
【００１９】
また、連結部材９、９を棒状の弾性材でＵ字状に形成してもよい。また、帯状の板材を用いれば衝撃力が作用した時には単位当たりの作用力が小さくなり、良好なる復元力および確実なる緩衝効果を発揮することができる。
さらに、鎧５、５の側面に帯状の連結部材９、９の端部を受け入れる窪み部６、６を形成しておけば組み立て時に組立てがずれるという恐れは無くなる。
【００２０】
なお、前記実施の形態においては、フロントフレームはフルリムタイプであっても良いものである。
さらに、テンプル自体が弾性的に変位してもしなくても良く、変位するものの場合には弾性部材とテンプルとが協働してより柔軟になるものである。そして、テンプルの材質は金属製、樹脂製のどちらであっても良いものである。
【図面の簡単な説明】
【００２１】
【図１】この発明の実施の形態による眼鏡フレームの概略平面図である。
【図２】この発明の実施の形態による眼鏡フレームの概略正面図である。
【図３】この発明の実施の形態による眼鏡フレームの概略側面図である。
【図４】この発明の実施の形態による眼鏡フレームの連結機構部の概略図である。
【符号の説明】
【００２２】
１……眼鏡フレーム
２……レンズ
３……リム
４……ブリッジ
５……鎧
６……窪み部
７……蝶番
８……テンプル
９……連結部材（弾性材）
１０……モダン
１１……ノーズパッド
１２……脚部
【図１】
2008139689.tif 000003
【図２】
2008139689.tif 000004
【図３】
2008139689.tif 000005
【図４】
2008139689.tif 000006